(57)【要約】【課題】  例えば、画像信号を供給するための外部回路基板側に設けられるコネクタを、有機ＥＬ表示装置等の表示装置の幅の範囲内に配置する。【解決手段】  コネクタ６５ａ及び６５ｂは、装置基板２０の基板面上でＹ方向にずらして配置され、且つＸ方向に沿って相互に重なるように配置されている。したがって、コネクタ６５ａ及び６５ｂは、Ｘ方向に沿って相互に重なることなく一直線上に配置される場合に比べて、個々のコネクタのＸ方向に沿った幅をより大きくすることが可能であり、所要数のコンタクト部を備えたコネクタを装置基板２０の幅の範囲内に配置することができる。【選択図】  図５
2006145576.tif 000002
【特許請求の範囲】
【請求項１】
第１基板の表面における縁に沿った領域に配列された複数の第１接続用端子と、第２基板の表面に配列された複数の第２接続用端子とを電気的に相接続する接続構造であって、
長さ方向に延びる基材部と、
前記基材部の一端に設けられており前記複数の第１接続用端子に夫々接続される複数の第１接続部を含む第１接続手段と、
前記基材部の他端に設けられており前記複数の第２接続用端子に夫々接続される複数の第２接続部を含み、前記長さ方向に相互にずれると共に前記基材部の幅方向に相互に重なる複数の分割部分に分割されてなる第２接続手段と、
前記基材部に設けられており、前記複数の第１接続部と前記複数の第２接続部とを、前記長さ方向に沿って延びる部分を夫々含む複数の配線及び回路のうち少なくとも該複数の配線を介して相接続する電気部と
を備えたことを特徴とする接続構造。
【請求項２】
前記基材部、前記第１接続手段及び前記第２接続手段は、前記複数の分割部分の夫々の前記幅方向における幅を合計した合計幅が前記第１接続手段の前記幅方向における幅よりも大きくなるように、構成されていること
を特徴とする請求項１に記載の接続構造。
【請求項３】
前記複数の第２接続用端子は、前記長さ方向に対応する方向に相互にずれると共に前記幅方向に相互に重なる複数の接続用端子群として、前記第２基板の表面に設けられていること
を特徴とする請求項１又は２に記載の接続構造。
【請求項４】
前記第１接続用端子及び前記第２接続用端子は、前記幅方向に沿って配列されており、
前記第２接続用端子のピッチは、前記第１接続用端子のピッチより大きいこと
を特徴とする請求項１から３の何れか一項に記載の接続構造。
【請求項５】
前記他端は、前記複数の分割部分に対応するように前記幅方向に分割された複数の分割基材部であり、
該複数の分割基材部のうち隣り合う分割基材部は、前記幅方向に沿って部分的に重なっていること
を特徴とする請求項１から４の何れか一項に記載の接続構造。
【請求項６】
前記第２基板は、前記縁に沿って複数配置されており、
該複数の第２基板の前記縁に沿った方向における幅の夫々を合計した合計幅は、前記第１基板の前記縁に沿った方向における幅より小さいこと
を特徴とする請求項１から５の何れか一項に記載の接続構造。
【請求項７】
前記基材部は柔軟性を有する材料を含んで構成されており、
前記第２基板は、前記第１基板の裏面側に配置されていること
を特徴とする請求項１から６の何れか一項に記載の接続構造。
【請求項８】
表示基板の表面における縁に沿った領域に配列された複数の第１接続用端子と、前記表示基板に信号を供給するための信号供給用基板の表面に配列された複数の第２接続用端子とが電気的に相接続されてなる電気光学装置であって、
長さ方向に延びる基材部と、
前記基材部の一端に設けられており前記複数の第１接続用端子に夫々接続される複数の第１接続部を含む第１接続手段と、
前記基材部の他端に設けられており前記複数の第２接続用端子に夫々接続される複数の第２接続部を含み、前記長さ方向に相互にずれると共に前記基材部の幅方向に相互に重なる複数の分割部分に分割されてなる第２接続手段と、
前記基材部に設けられており、前記複数の第１接続部と前記複数の第２接続部とを、前記長さ方向に沿って延びる部分を夫々含む複数の配線及び回路のうち少なくとも該複数の配線を介して相接続する電気部と
を備えたことを特徴とする電気光学装置。
【請求項９】
前記複数の第１接続用端子に夫々電気的に接続されており、前記表示基板の一方の基板面側で互いに接合されることにより前記基板面側に一の画像表示領域を形成する複数の表示パネルを更に備えたこと
を特徴とする請求項８に記載の電気光学装置。
【請求項１０】
請求項８又は９に記載の電気光学装置を具備してなることを特徴とする電子機器。
【発明の詳細な説明】
【技術分野】
【０００１】
本発明は、例えば、大画面の有機ＥＬパネルとこの有機ＥＬパネルを駆動するための外部回路とを接続するための接続構造、及びこれを備えた、例えば有機ＥＬ表示装置等の電気光学装置、並びに該電気光学装置を備えた電子機器の技術分野に関する。
【背景技術】
【０００２】
従来、例えば、液晶ディスプレイ及びプラズマディスプレイ等のフラットパネルディスプレイにおける表示パネルと、この表示パネルを駆動する外部回路とを接続するための技術が各種開示されている。例えば、特許文献１は、液晶パネルの四側辺に、プリント基板及び液晶パネルを電気的に接続するフレキシブル基板を備えた液晶表示装置を開示している。特許文献２は、多層リジットプリント回路基板及びフレキシブルプリント基板の接続スペースが少ない場合でも、多数本の信号ラインによってこれら基板を接続する接続構造を開示している。特許文献３は、プラズマディスプレイパネルのサイズが変わっても部品を共用化し易い構造を備えたプラズマディスプレイ装置を開示している。
【０００３】
また、近年、プラットパネルディスプレイの一種である有機ＥＬ表示装置の技術開発も盛んに行われており、表示パネルの大型化及び高解像度が求められるに伴い、上記液晶ディスプレイ及びプラズマディスプレイ等と同様に表示パネル及び外部回路を電気的に接続するための接続構造が各種検討されている。
【０００４】
【特許文献１】特開平５−１７３１６２号公報
【特許文献２】特開平９−２３２７０８号公報
【特許文献３】特開２００３−１７３１５０号公報
【発明の開示】
【発明が解決しようとする課題】
【０００５】
しかしながら、高解像度を有するフラットパネルディスプレイを駆動するためには、解像度に応じた本数のデータ線が必要になり、データ線の本数は膨大なものになる。例えば、解像度がＷＸＧＡである有機ＥＬ表示装置の場合、データ線は１２８０本になる。ここで、ＷＸＧＡとは、１２８０本のデータ線及び７６８本の走査線によって表示される画像の解像度を意味する。更に、カラー表示を行うためには、赤色（Ｒ）、緑色（Ｇ）、青色（Ｂ）の３色に対応した３つの画素部の夫々にデータ線を設けることになり、ＷＸＧＡの解像度でカラー表示するためのデータ線の本数は１２８０×３＝３８４０本になる。このような有機ＥＬ表示装置を駆動するために、例えば外部回路基板から、フレキシブルプリント基板（以下、ＦＰＣ基板と称す。）の表面に実装されたデータドライバを介して各データ線に画像信号を供給する場合、或いはフレキシブルフラットケーブル（以下、ＦＦＣと称す。）を介してデータ線に画像信号を供給する場合には、ＦＰＣ基板等と外部回路基板とを電気的に接続するためのコネクタのサイズが表示パネルのサイズを超えてしまい、表示パネルのサイズの範囲内にコネクタを配置することが困難になる。より具体的には、例えば、ＦＰＣ基板等の表示パネル側に接続されるピンのピッチに比べて大きなピッチで配列されるピンがＦＰＣ基板等の外部回路基板側に所要数配置されている場合、ＦＰＣ基板等の外部回路基板側のコネクタのサイズが表示パネル側のコネクタのサイズより大きくなり、外部回路基板側のコネクタが表示パネルのサイズの範囲内に収まらない問題点が生じる可能性がある。
【０００６】
本発明は上記問題点等に鑑みてなされたものであり、その目的とするところは、例えば、データ線に画像信号を供給するための外部回路基板側に設けられるコネクタを、表示パネルを含む表示装置のサイズの範囲内に収まるように配置できる接続構造、及びこれを備えた電気光学装置、並びに電子機器を提供することである。
【課題を解決するための手段】
【０００７】
本発明に係る接続構造は上記課題を解決するために、第１基板の表面における縁に沿った領域に配列された複数の第１接続用端子と、第２基板の表面に配列された複数の第２接続用端子とを電気的に相接続する接続構造であって、長さ方向に延びる基材部と、前記基材部の一端に設けられており前記複数の第１接続用端子に夫々接続される複数の第１接続部を含む第１接続手段と、前記基材部の他端に設けられており前記複数の第２接続用端子に夫々接続される複数の第２接続部を含み、前記長さ方向に相互にずれると共に前記基材部の幅方向に相互に重なる複数の分割部分に分割されてなる第２接続手段と、前記基材部に設けられており、前記複数の第１接続部と前記複数の第２接続部とを、前記長さ方向に沿って延びる部分を夫々含む複数の配線及び回路のうち少なくとも該複数の配線を介して相接続する電気部とを備える。
【０００８】
本発明に係る接続構造によれば、第２接続手段の合計幅を、第１接続手段の幅より大きくできる。よって、より広いピッチで第２接続部を配列できるか、これに加えて又は代えて、より多数の第２接続部を配列できる。
【０００９】
より具体的には、本発明に係る接続構造は、例えば、表示パネルの縁に沿って配列された複数のデータ線の接続パッドと、各データ線に画像信号を供給するための外部回路基板との間をＦＰＣ基板等によって電気的に接続する場合に適用な接続構造である。この場合、「第１接続手段」とは、ＦＰＣ基板等の表示パネル側の端に設けられたコネクタを意味し、「第２接続手段」とは、ＦＰＣ基板等の外部回路基板側の端に設けられた複数のコネクタ全体を意味する。言い換えれば、本発明に係る接続構造の一例は、両端にコネクタを有するＦＰＣ基板そのものからなる。したがって、本発明に係る接続構造によれば、例えばＦＰＣ基板等の外部回路基板側の端に設けられた複数のコネクタの合計幅を、ＦＰＣ基板等の表示パネル側の端に設けられたコネクタの幅より大きくすることが可能である。ここで、「合計幅」とは、例えば、ＦＰＣ基板等の外部回路基板側の端に設けられた複数のコネクタの夫々の幅をそのまま加えた寸法を意味する。したがって、本発明に係る接続構造によれば、例えば、表示パネル側の接続パッドより広いピッチを有するように、ＦＰＣ基板等の外部回路基板側の端に設けられた複数のコネクタに含まれる第２接続部を配列できるか、これに加えて又は代えて、より多数の第２接続部を配列することが可能である。これにより、例えば、外部回路基板側に設けられるコネクタの第２接続部を、接続時のハンドリング等を考慮して表示パネル側の接続パッドのピッチより大きいピッチで配列できる。
【００１０】
第２接続手段は、前記長さ方向に相互にずれると共に前記基材部の幅方向に相互に重なる複数の分割部分を含んでいることから、逆に考えれば、複数の分割部分が一直線上に並ぶように配置されている場合に比べて第２接続手段の合計幅を小さくできる。したがって、例えば、表示パネルの縁に沿って外部回路基板側に設けられるコネクタを表示パネルのサイズの範囲内に収まるように配置することも可能である。
【００１１】
尚、本発明に係る「回路」とは、例えば、ＦＰＣ基板等に搭載されたドライバＩＣ、或いはドライバＩＣと接続された配線等も含むことを意味し、ドライバＩＣでシリアルーパラレル変換された画像信号を配線を介して表示パネル側のデータ線に供給できる。また、第２接続用端子は、分割された第２接続手段が含む複数の第２接続部の配列パターンに応じて配列されればよい。
【００１２】
以上の結果、本発明に係る接続構造によれば、例えば、高解像度を有する画像を表示するための表示パネルの解像度に応じた多数の画像信号の供給を可能にしつつ、表示パネルのサイズの範囲内に外部回路基板側のコネクタを配置することが可能になる。
【００１３】
本発明に係る接続構造の一の態様においては、前記基材部、前記第１接続手段及び前記第２接続手段は、前記複数の分割部分の夫々の前記幅方向における幅を合計した合計幅が、前記第１接続手段の前記幅方向における幅よりも大きくなるように、構成されていてもよい。
【００１４】
この態様によれば、例えば表示パネルのサイズに収まるように外部回路基板側に設けられるコネクタを配置でき、ドライバＩＣ等を含む電気部を介して表示パネルへの画像信号の供給を可能にしつつ、表示パネルの縁に沿って外部回路基板側に設けられるコネクタを表示パネルのサイズの範囲内に収まるように配置できる。
【００１５】
本発明に係る接続構造の他の態様においては、前記複数の第２接続用端子は、前記長さ方向に対応する方向に相互にずれると共に前記幅方向に相互に重なる複数の接続用端子群として、前記第２基板の表面に設けられていてもよい。
【００１６】
この態様によれば、複数の第２接続用端子群が、直線状に配列されていないため、複数の第２接続端子群全体の幅を、個々の第２接続端子群の幅を加えた幅より小さくすることができる。したがって、第２接続部を含む第２接続手段を第２接続用端子群の配置に合わせて配置しつつ、第２接続手段及び第２接続部の電気的な接続が可能になる。
【００１７】
本発明に係る接続構造の他の態様においては、前記第１接続用端子及び前記第２接続用端子は、前記幅方向に沿って配列されており、前記第２接続用端子のピッチは、前記第１接続用端子のピッチより大きくてもよい。
【００１８】
この態様によれば、例えば、外部回路基板側のコネクタが備える第２接続部が第２接続用端子の配置に合わせて設けられている場合でも、表示パネルのサイズの範囲内にコネクタを配置することができる。例えば、第２接続用端子が、外部回路基板側に設けられる接続パッドである場合、これら接続パッドのピッチを取り扱い上支障が生じない大きさに設定できる。より具体的には、例えば、第１接続用端子のピッチが数十から数百μｍであり、第２接続用端子のピッチが０．３から０．５ｍｍ程度である場合でも、第１接続用端子に応じた必要数の第２接続用端子を第１接続用端子のピッチより広いピッチで設けることが可能である。
【００１９】
本発明に係る接続構造の他の態様においては、前記他端は、前記複数の分割部分に対応するように前記幅方向に分割された複数の分割基材部であり、該複数の分割基材部のうち隣り合う分割基材部は、前記幅方向に沿って部分的に重なっていてもよい。
【００２０】
この態様によれば、例えばＦＰＣ基板等である、基材の他端の幅を小さくすることができ、所定の範囲内に他端の幅を収めることができる。より具体的には、例えば、第２接続手段に含まれる、例えば、相互にずらして配置されたコネクタにＦＰＣ基板の他端を接続することが可能になる。
【００２１】
本発明に係る接続構造の他の態様においては、前記第２基板は、前記縁に沿って複数配置されており、該複数の第２基板の前記縁に沿った方向における幅の夫々を合計した合計幅は、前記第１基板の前記縁に沿った方向における幅より小さくてもよい。
【００２２】
この態様によれば、複数の第２基板を第１基板のサイズの範囲内に配置することができる。より具体的には、例えば、表示パネルの縁に沿って配置される複数の外部回路基板を表示パネルのサイズの範囲内に配置でき、表示パネル及び外部回路基板を含んだコンパクトな構成を有する表示装置等を提供できる。
【００２３】
本発明に係る接続構造の他の態様においては、前記基材部は柔軟性を有する材料を含んで構成されており、前記第２基板は、前記第１基板の裏面側に配置されていてもよい。
【００２４】
この態様によれば、例えば、ＦＰＣ基板等によって表示パネルに接続された外部回路基板を表示パネルの裏面側に配置でき、コンパクトな表示装置を形成できる。より具体的には、例えば、外部回路基板をＦＰＣ基板等を介して表示パネルに電気的に接続された外部回路基板を表示パネルの裏面側に配置できる。したがって、表示パネルの面内方向に外部回路基板が配置されず、表示装置のうち表示パネルを除く部分のサイズをより小さくでき、表示装置全体をコンパクトに構成できる。
【００２５】
本発明に係る電気光学装置は上記課題を解決するために、表示基板の表面における縁に沿った領域に配列された複数の第１接続用端子と、前記表示基板に信号を供給するための信号供給用基板の表面に配列された複数の第２接続用端子とが電気的に相接続されてなる電気光学装置であって、長さ方向に延びる基材部と、前記基材部の一端に設けられており前記複数の第１接続用端子に夫々接続される複数の第１接続部を含む第１接続手段と、前記基材部の他端に設けられており前記複数の第２接続用端子に夫々接続される複数の第２接続部を含み、前記長さ方向に相互にずれると共に前記基材部の幅方向に相互に重なる複数の分割部分に分割されてなる第２接続手段と、前記基材部に設けられており、前記複数の第１接続部と前記複数の第２接続部とを、前記長さ方向に沿って延びる部分を夫々含む複数の配線及び回路のうち少なくとも該複数の配線を介して相接続する電気部とを備える。
【００２６】
本発明に係る電気光学装置によれば、上述した本発明の接続構造と同様に、例えば、高解像度を有する画像を表示するための表示パネルに解像度に応じた多数の画像信号を供給可能にしつつ、外部回路基板側の第２接続部のピッチを広げることが可能である。加えて、表示パネルのサイズの範囲内に外部回路基板側のコネクタを配置することができる。したがって、本発明に係る電気光学装置は、高解像度の画像表示を可能にしつつ、表示パネル等をコンパクトに構成できる。尚、本発明に係る「表示基板」とは、例えば、有機ＥＬ素子が形成された表示パネルと表示パネルが配置される装置基板とを含んでいる場合、又は、表示パネルのみを含む場合、或いは表示パネルが配置される基板のみを含む場合のいずれの意味もその範疇に含む。
【００２７】
本発明に係る電気光学装置の一の態様においては、前記複数の第１接続用端子に夫々電気的に接続されており、前記表示基板の一方の基板面側で互いに接合されることにより前記基板面側に一の画像表示領域を形成する複数の表示パネルを更に備えていてもよい。
【００２８】
この態様によれば、複数の表示パネルによって、これら表示パネルの一枚を用いて画像表示領域を形成する場合に比べてより大画面の画像表示領域を形成できる。尚、複数の表示パネルは複数の第１接続用端子を介して全体の動作を制御され、大画面の画像表示が可能になる。
【００２９】
本発明に係る電子機器は上記課題を解決するために、上述した本発明の電気光学装置を具備してなる。
【００３０】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置などの各種電子機器を実現できる。また、本発明に係る電子機器として、例えば電子ペーパなどの電気泳動装置或いは電子放出装置（Field Emission Display及びConduction Electron-Emitter Display）等も実現することが可能である。
【００３１】
本発明のこのような作用及び他の利得は次に説明する実施形態から明らかにされる。
【発明を実施するための最良の形態】
【００３２】
以下、図面を参照しながら、本発明に係る接続構造、及びこれを備えた電気光学装置、並びに電子機器の実施形態について詳細に説明する。尚、本実施形態では、本発明に係る接続構造を有機ＥＬ表示装置に適用した例について説明する。
【００３３】
先ず図１を参照して本実施形態の電気的な構成について説明する。図１は、本発明に係る「接続構造」を含んでなる「電気光学装置」の一例である有機ＥＬ表示装置１０の電気的構成を示すブロック図である。有機ＥＬ表示装置１０は、駆動回路内蔵型のアクティブマトリクス駆動方式で駆動される表示装置であり、各画素部に有機ＥＬ素子を備えている。
【００３４】
図１において、有機ＥＬ表示装置１０における画像表示領域１１０には、縦横に配線されたデータ線１１４及び走査線１１２が設けられており、それらの交点に対応する各画素部７０はマトリクス状に配列される。更に、画像表示領域１１０には各データ線１１４に対して配列された画素部７０に対応する電源供給線１１７が設けられている。
【００３５】
画像表示領域１１０の周辺に位置する周辺領域には、走査線駆動回路１３０及びデータ線駆動回路１５０が設けられている。走査線駆動回路１３０は複数の走査線１１２に走査信号を順次供給する。また、データ線駆動回路１５０は、画像表示領域１１０に配線されたデータ線１１４に画像信号を供給する。尚、走査線駆動回路１３０の動作とデータ線駆動回路１５０の動作とは、外部回路から供給される同期信号１６０によって相互に同期が図られる。また、電源供給線１１７には、外部回路から画素駆動用電源が供給される。図１中、一つの画素部７０に着目すれば、画素部７０には、有機ＥＬ素子７２が設けられると共に、例えばＴＦＴを用いて構成されるスイッチング用トランジスタ７６及び駆動用トランジスタ７４、並びに保持容量７８が設けられている。スイッチング用トランジスタ７６のゲート電極には走査線１１２が電気的に接続されており、スイッチング用トランジスタ７６のソース電極にはデータ線１１４が電気的に接続され、スイッチング用トランジスタ７６のドレイン電極には駆動用トランジスタ７４のゲート電極が電気的に接続されている。また、駆動用トランジスタ７４のドレイン電極には、電源供給線１１７が電気的に接続されており、駆動用トランジスタ７４のソース電極には有機ＥＬ素子７２の陽極が電気的に接続されている。尚、図１に例示した画素回路の構成の他にも、電流プログラム方式の画素回路、電圧プログラム方式の画素回路、電圧比較方式の画素回路、サブフレーム方式の画素回路等の各種方式の画素回路を採用することが可能である。
【００３６】
次に、図２及び図３を参照しながら、有機ＥＬ表示装置１０の全体構成について説明する。図２は、Ｘボード４１及びＹボード４２を装置基板２０の裏面側に配置していない状態の有機ＥＬ表示装置１０を画像表示領域１１０側から見た平面図であり、図３は、Ｘボード４１及びＹボード４２が装置基板２０の裏面側に配置された状態の有機ＥＬ表示装置１０を画像表示領域１１０の裏面側から見た平面図である。尚、図２及び図３においては、説明の便宜上、Ｘボード４１、Ｙボード４２及び装置基板２０を電気的に接続するＦＰＣ基板６１の夫々を一枚の矩形状の基板として示している。ＦＰＣ基板６１の具体的な形状及び構成については、後で図４及び図５を参照しながら有機ＥＬ表示装置１０に適用される接続構造１００を説明する中で併せて説明する。図２及び図３においては、有機ＥＬ表示装置１０の各構成要素を図面上で認識可能な程度の大きさとするため、構成要素毎に縮尺及び間隔等を異ならしめてある。
【００３７】
図２及び図３において、有機ＥＬ表示装置１０は、本発明に係る「第１基板」の一例である装置基板２０、表示パネル３０、本発明に係る「第２基板」の一例であるＸボード４１、Ｙボード４２、制御部４３、及び本発明に係る「接続構造」の一例たるＦＰＣの基材部であるＦＰＣ基板６１を備えて構成されている。尚、図２及び図３においては、図中左右方向をＸ方向、上下方向をＹ方向とする。
【００３８】
装置基板２０は、装置基板２０の縁に沿った装置基板２０の基板面のコネクタ領域５２及び５１に電気的に接続された走査線１１２及びデータ線１１４が図中Ｙ方向及びＸ方向に沿って延在するように形成されている。表示パネル３０は、装置基板２０の一方の基板面上に接着材を介して複数貼り付けられている。本実施形態では、Ｘ方向及びＹ方向に夫々２枚ずつ、合計４枚の表示パネル３０が装置基板２０の基板面上に隙間なくマトリクス状に配列されており、有機ＥＬ表示装置１０は、個々の表示パネル３０の画像表示領域より大きなサイズの画像表示領域１１０を有している。表示パネル３０には、カラー表示を行うための赤色（Ｒ）用、緑色（Ｇ）用、及び青色（Ｂ）用の３種の有機ＥＬ素子が画素部毎に形成されている。
【００３９】
Ｘボード４１は、矩形状を有する装置基板２０の対向する一対の縁の夫々に沿って配置されており、より具体的には、データ線１１４が配列される方向であるＸ方向に沿って配置されている。Ｘボード４１は、制御部４３及びＦＰＣ基板６１間で画像信号を中継する中継基板である。Ｘボード４１は、複数の接続ピンを有する接続部４９を備えている。接続部４９は図示しない配線等を介して制御部４３に電気的に接続されており、制御部４３から供給される画像信号をコネクタ領域５１に配置された各コネクタに送る。尚、本実施形態では、各表示パネル３０に一つずつＸボード４１が割り当てられており、Ｘボード４１は図中Ｘ方向に沿って装置基板２０の縁に夫々２つずつ配置されている。有機ＥＬ表示装置１０は、後述する本実施形態に係る接続構造１００を採用することにより、装置基板２０の図中Ｘ方向に沿った幅の範囲に複数のＸボード４１を配置することができ、装置基板２０の幅内に有機ＥＬ表示装置１０の構成要素が配置可能とされたコンパクトな構成を有している。Ｙボード４２は、装置基板２０の縁のうちＸボード４１が配置された側の縁と直交する縁に沿って配置されており、制御部４３から供給される走査信号をＦＰＣ基板８１を介してコネクタ領域５２から各走査線１１２に供給する。
【００４０】
制御部４３は、Ｘボード４４、ＣＰＵボード４５、及びＤＶＩボード４６を有している。ＣＰＵボード４５は、各種信号を処理するＣＰＵ（Central Processing Unit）を備えており、ＣＰＵを含む処理回路によって処理された各種信号をＸボード４４を介して各Ｘボード４１に供給する。ＤＶＩ（Digital Visual Interface）ボード４６は、ＣＰＵボード４５及び表示パネル３０間の信号供給路の途中に介在するように配置されている。ＤＶＩボード４６によれば、デジタル信号である画像信号をアナログ信号に変換することなく直接Ｘボード４１に供給することができる。よって、変換に伴う画像信号の劣化がなくなるため、有機ＥＬ表示装置１０の画質を高めることができる。
【００４１】
ＦＰＣ基板６１は、本発明に係る「基材部」の一例であり、Ｘボード４１及びコネクタ５１領域間を電気的に接続する。ＦＰＣ基板６１は柔軟性を有しているため、ＦＰＣ基板６１を介してコネクタ領域５１に電気的に接続されたＸボード４１を装置基板２０の裏面側に配置することが可能であり、装置基板２０の周囲にＸボード４１を配置する場合に比べて有機ＥＬ表示装置１０をコンパクトに構成することが可能である。
【００４２】
コネクタ領域５１は、装置基板２０の表面の図中Ｘ方向に沿って延在する縁付近の領域であり、ＦＰＣ基板６１の一方の端に電気的に接続されている。コネクタ領域５２は、装置基板２０の図中Ｙ方向に沿って延在する縁に設けられており、ＦＰＣ基板６２の一方の端に電気的に接続されている。
【００４３】
尚、図１に示したデータ線駆動回路１５０は、制御部４３に含まれていてもよいし、外部回路、制御部４３及び後述するドライバＩＣ７３を含んだものをデータ線駆動回路１５０としてもよい。また、走査線駆動回路１３０は、装置基板２０のＹ方向に沿った縁に設けられていてもよいし、装置基板２０とは別に設けられていてもよい。
【００４４】
次に、図４及び図５を参照しながら、本実施形態に係る接続構造１００を説明する。図４は、接続構造１００の構成を示す平面図であり、図５は接続構造１００の構成を示す斜視図である。
【００４５】
図４及び図５において、ＩＣ搭載型のＦＰＣとして構成されている接続構造１００は、ＦＰＣ基板６１、コネクタ６５ａ及び６５ｂ、接続端子６３、６４ａ及び６４ｂ、配線６６及び６９、ドライバＩＣ７３を備える。
【００４６】
接続端子６３は、本発明に係る「第１接続用端子」の一例であり、装置基板２０の基板面上に、装置基板２０の縁に沿って図中Ｘ方向に配列されている。接続端子６３の夫々は、各画素部７０に画像信号を供給するためのデータ線１１４に電気的に接続されており、画像表示領域１１０のＸ方向に沿った幅全体に渡って、例えば６０から１５０μｍのピッチで配列されている。
【００４７】
接続端子６４ａ及び６４ｂは、本発明に係る「第２接続用端子」の一例であり、Ｘボード４１の表面に配列されている。接続端子６４ａ及び６４ｂは、Ｘボード４１に設けられた図示しない配線等を介して接続部４９に電気的に接続されている。コネクタ６５ａに電気的に接続される複数の接続端子６４ａの一群と、コネクタ６５ｂに電気的に接続される複数の接続端子６４ｂの一群は、Ｙ方向に沿って相互にずらして、且つＸ方向に沿って相互に重なるようにＸボード４１の表面に配置されており、夫々が本発明に係る「接続用端子群」の一例を構成する。
【００４８】
ＦＰＣ基板６１は２つのＦＰＣ基板６１ａ及び６１ｂから構成されており、２つのＦＰＣ基板６１ａ及び６１ｂの夫々がＸボード４１及び装置基板２０に電気的に接続されている。ＦＰＣ基板６１ａ及び６１ｂの夫々はＹ方向に沿って延在されており、Ｘ方向に沿ってＦＰＣ基板６１ａに隣り合うようにＦＰＣ基板６１ｂが配置されている。ここで、Ｘ方向が本発明に係る「幅方向」の一例に該当し、Ｙ方向が本発明に係る「長さ方向」の一例に該当する。ＦＰＣ基板６１ａ及び６１ｂは、後述するコネクタ６５ａ及び６５ｂの個数に合わせて装置基板２０及びＸボード４１間に配置されており、本実施形態では合計２枚の２枚のＦＰＣ基板６１ａ及び６１ｂが装置基板２０及びＸボード４１間に配置されている。尚、装置基板２０及びＸボード４１間を電気的に接続するためのＦＰＣ基板６１は、勿論本実施形態の枚数に限定されるものではないし、ＦＰＣ基板の代わりにＦＦＣを用いてもよい。
【００４９】
また、ＦＰＣ基板６１ａ及び６１ｂは、コネクタ６５ａ及び６５ｂに設けられたラッチ部８３によって各コネクタに固定される。ラッチ部８３は、図５中で、矢印８３ａのように回動可能であり、実線で示した如き位置で各コネクタを着脱可能とし、これを矢印８３ａに沿って倒した破線で示した如き位置で、各コネクタを固定するように構成されている。
【００５０】
ＦＰＣ基板６１ａ及び６１ｂは、Ｘ方向に沿って相互に部分的に重なっており、後述するコネクタ６５ａ及び６５ｂに夫々電気的に接続されている。ＦＰＣ基板６１ａ及び６１ｂは柔軟性を有し、夫々内部或いは表面に配線又は回路等が設けられている。したがって、本実施形態のようにＦＰＣ基板６１ｂは、部分的にＦＰＣ基板６１ａに重なるように変形可能であり、ＦＰＣ基板６１ａ及び６１ｂがコネクタ６５ａ及び６５ｂと確実に接続される。
【００５１】
ＦＰＣ基板６１ａ及び６１ｂの夫々にはドライバＩＣ７３が配置されており、配線６６及び６９の夫々がドライバＩＣ７３から装置基板側２０、或いはＸボード４１側に延在されている。
【００５２】
配線６６はＹ方向に沿って夫々延在されており、配線６６の装置基板２０側の一端が接続端子６３と電気的に接続されるコンタクト部６７である。即ち、配線６６及びコンタクト部６７は、接続端子６３と同等のピッチでＦＰＣ基板６１ａ及び６１ｂに形成されている。コンタクト部６７は、例えば接続端子６３にＡＣＦ接続されており、本発明に係る「第１接続部」の一例を構成する。ここで、ＡＣＦ接続とは、異方性導電フィルム（Anisotropic Conductive Film）を用いて電気的な接続を行う接続形態を意味する。このような接続形態によれば、６０から１５０μｍのピッチで配列された接続端子６３及びコンタクト部６７のうち対応するもの同士を確実に接続することが可能である。
【００５３】
配線６９のコネクタ６５ａ及び６５ｂ側の一端が、コネクタ６５ａ及び６５ｂのコンタクト部７１と配線６９とを電気的に接続するためのコンタクト部６８である。コンタクト部６８は、コンタクト部７１のピッチに合わせてＦＰＣ基板６１ａ及び６１ｂの一端に形成されている。
【００５４】
ドライバＩＣ７３は、ＦＰＣ基板６１ａ及び６１ｂの夫々に配置されており、配線６６及び６９と共に本発明に係る「電気部」の一例を構成する。即ち、ＦＰＣ基板６１ａ及び６１ｂは、例えばドライバＩＣ７３が表面実装されたＣＯＦ(Chip On Film)構造を有している。ドライバＩＣ７３は、Ｘボード４１側から供給される画像信号を、例えばパラレルーシリアル変換して装置基板２０のデータ線１１４に供給する、シフトレジスタ回路、ラッチ回路、サンプリング回路等を含むデータ線駆動回路１５０（図１参照）として機能する。或いは、ドライバＩＣ７３は、例えば、デジタル信号である画像信号をアナログ信号に変換するＤ／Ａ変換機能、或いは画像信号を増幅するレベルシフタとして機能してもよい。
【００５５】
コネクタ６５ａ及びコネクタ６５ｂの夫々は、コンタクト部６８に接続される複数のコンタクト部７１を含んでおり、コネクタ６５ａ及びコネクタ６５ｂの両方で本発明に係る「第２接続手段」の一例を構成する。即ち、コネクタ６５ａ及び６５ｂの夫々が、本発明に係る「分割部分」の一例に該当する。複数のコンタクト部７１の夫々は接続端子６４ａ及び６４ｂに電気的に接続されており、接続部４９から装置基板２０に設けられたデータ線１１４までが電気的に接続されている。
【００５６】
コネクタ６５ａ及び６５ｂは、Ｘ方向に延在するようにＸボード４１の表面に配置されている。コネクタ６５ａ及び６５ｂは、装置基板２０の基板面上でＹ方向にずらして配置され、且つＸ方向に沿って相互に重なるように配置されている。したがって、コネクタ６５ａ及び６５ｂは、Ｘ方向に沿って相互に重なることなく一直線上に配置される場合に比べて、個々のコネクタのＸ方向に沿った幅をより大きくすることが可能である。より具体的には、Ｘ方向に沿ったコネクタ６５ａ及び６５ｂの夫々の幅がｌａ及びｌｂである場合、コネクタ６５ａ及び６５ｂをＸ方向に沿って一直線状に配列した場合のコネクタ６５ａ及び６５ｂの合計幅は、ｌａ＋ｌｂになる。一方、本実施形態のように、コネクタ６５ａ及び６５ｂをＸ方向に沿って相互に重ねて配置した場合のコネクタ６５ａ及び６５ｂの合計幅は、コネクタ６５ａ及び６５ｂの重なり幅ｌｘ分だけコネクタ６５ａ及び６５ｂの幅をそのまま加えた場合に比べて小さくなる。したがって、Ｘ方向に沿って一定の幅を有する領域内に配置されるコネクタ６５ａ及び６５ｂの幅を大きくすることができ、その分だけより多くのコンタクト部７１をコネクタ６５ａ及び６５ｂに設けることができる。
【００５７】
次に、図２乃至図５を参照しながら、有機ＥＬ表示装置１０を構成する各部の具体的な寸法を例示し、接続構造１００を採用することの利点についてより具体的に説明する。尚、以下で示す各部の寸法はあくまで例示であり、本発明に係る接続構造及び電気光学装置は以下に例示する寸法に限定されるものではないことに留意されたい。
【００５８】
図２乃至図５において、有機ＥＬ表示装置１０の画像表意領域１１０は、Ｘ方向に沿って８６７ｍｍのサイズを有する４０インチ型の画像表示装置である。有機ＥＬ表示装置１０は、画像表示領域１１０全体で例えば１２８０×３×７６８＝２９４９１２０個の画素部７０を有する。ここで、１２８０とは、Ｘ方向に沿って画像表示領域１１０に設けられている画素部７０の個数を意味し、本実施形態では、赤色（Ｒ）用、緑色（Ｇ）用、青色（Ｂ）用の３種に有機ＥＬ素子の夫々を含むサブ画素毎にデータ線が設けられている場合について説明する。したがって、有機ＥＬ表示装置１０は、各色に発光する有機ＥＬ素子７２に接続されるデータ線１１４が１２８０×３＝３８４０本が設けられていることになる。尚、７６８とは、走査線１１２の本数を意味する。
【００５９】
ここで、本実施形態に係る接続構造１００及びこれを備えた有機ＥＬ表示装置１０の利点を説明するために、Ｘ方向に沿って一直線状にコネクタ６５a及び６５ｂが配置されている場合を考える。Ｘ方向に沿ったコンタクト部７１のピッチを０．５ｍｍとし、Ｘ方向に沿ってコネクタ６５ａおよび６５ｂの夫々に５ｍｍ幅のスペースを設けた場合、Ｘ方向に沿って一直線状に配列された一組のコネクタ６５ａ及び６５ｂの全体の幅は、３３×０．５＋５＝２１．５ｍｍになる。尚、コンタクト部７１のピッチは通常０．３から０．５ｍｍであることから、最もコンタクト部７１のピッチを大きく取った場合を例に挙げている。加えて、一組のコネクタ６５ａ及び６５ｂ、即ち図２及び図３において示した各Ｘボード４１に１０個ずつ配置されたＦＰＣ基板６１間の隙間を２ｍｍとした場合、Ｘ方向に沿って配置された２枚のＸボードにおけるコネクタ６５ａ及び６５ｂ全体の幅寸法は、（２１．５＋２）×２０×２＝９４０ｍｍになる。したがって、画像信号を各画素部７０に供給するためのデータ線１１４に応じてコネクタ６５ａ及び６５ｂにコンタクト部７１を所要数設け、且つコネクタ６５ａ及び６５ｂをＸ方向に沿って一直線状に配置した場合には、コネクタ全体の幅が画像表示領域１１０の幅を超えてしまう。高解像度の画像表示を行うためには、データ線１１４の本数に応じてＸボード４１に設けられる接続端子数も多くなるため、ＦＰＣ基板６５ａ及び６５ｂに搭載されたドライバＩＣ７３によって画像信号を相展開してデータ線１１４に供給する場合であっても、Ｘボード４１に設けられるコンタクト部７１の個数はＸ方向に沿って莫大な個数になる。また、コンタクト部６８及び７１のうち対応するコンタクト部同士を確実に接続するためには、製造工程におけるＦＰＣ基板の取り扱いを考慮するとコンタクト部６８及び７１のピッチを０．３から０．５ｍｍ程度にすることになり、コンタクト部６８及び７１のピッチをデータ線１１４の一端である接続端子６３のピッチと同程度にすることは難しい。
【００６０】
そこで、本実施形態に係る接続構造１００によれば、コネクタ６５ａ及び６５ｂが幅方向に沿って相互に重なっていることから、Ｘ方向に沿って各コネクタ６５ａ及び６５ｂの幅を広げることができ、これに伴い所要のピッチを有するようにより多くのコンタクト部７１をコネクタ６５ａ及び６５ｂに設けることが可能になる。更に、ＦＰＣ基板６１ａ及び６１ｂのコンタクト部６８のピッチも、ＦＰＣ基板及びコネクタを接続する際の取り扱い上支障がない程度の大きさに設定される。このような接続構造１００によれば、有機ＥＬ表示装置１０のＸ方向に沿った一定の幅の範囲内に所要数のコンタクト部を有するコネクタを配置できる。したがって、接続構造１００によれば、高解像度の画像表示が可能であり、且つコンパクトな構成を備える有機ＥＬ表示装置１０を提供できる。
【００６１】
尚、本発明に係る接続構造及び電気光学装置は、各部の寸法が上述した値を有する場合に限定されず、有機ＥＬ表示装置等の電気光学装置であれば、如何なるサイズの装置にも適用できることは言うまでもない。
【００６２】
（電子機器）
次に、上述した有機ＥＬ表示装置１０を備えた各種電子機器について説明する。
【００６３】
＜Ａ：モバイル型コンピュータ＞
図６を参照しながらモバイル型のパーソナルコンピュータに上述した有機ＥＬ装置の一例である有機ＥＬ表示装置を適用した例について説明する。図６は、コンピュータ１２００の構成を示す斜視図である。
【００６４】
図６において、コンピュータ１２００は、キーボード１２０２を備えた本体部１２０４と、図示しない有機ＥＬ表示装置を用いて構成された表示部１００５を有する表示ユニット１２０６とを備えている。コンピュータ１２００は、本発明に係る接続構造を備えて構成されることから、表示部１００５を駆動させるために要する各種回路を配置するためのスペースを低減しつつ、高品質の画像を表示することができる。また、表示部１００５が備える複数の有機ＥＬディスプレイ基板に赤、緑、青の光の三原色の光を発光する有機ＥＬ素子を形成しておくことによって、該表示部１００５はフルカラー表示で画像表示を行うことができる。
【００６５】
＜Ｂ：携帯型電話機＞
更に、上述した有機ＥＬ表示装置を携帯型電話機に適用した例について、図７を参照して説明する。図７は、携帯型電話機１３００の構成を示す斜視図である。
【００６６】
図７において、携帯型電話機１３００は、複数の操作ボタン１３０２と共に、本発明の一実施形態である有機ＥＬ表示装置を有する表示部１３０５を備えるものである。
【００６７】
表示部１３０５は、上述の表示部１００５と同様に本発明に係る接続構造を備えて構成されることから、表示部１３０５を駆動するための各種回路を配置するためのスペースを低減しつつ、高品質の画像を表示することができる。また、表示部１３０５が備える複数の有機ＥＬ素子が夫々赤、緑、青の光の三原色の光を発光することによって、該表示部１３０５はフルカラー表示で画像表示を行うこともできる。
【００６８】
尚、本発明は、上述した実施例に限られるものではなく、請求の範囲及び明細書全体から読み取れる発明の要旨或いは思想に反しない範囲で適宜変更可能であり、そのような変更を伴う接続構造、及びこれを備えた有機ＥＬ表示装置等の電気光学装置、並びに有機ＥＬ表示装置等を備えて構成される電子機器もまた本発明の技術的範囲に含まれるものである。
【図面の簡単な説明】
【００６９】
【図１】本実施形態に係る有機ＥＬ表示装置の構成を示すブロック図である。
【図２】本実施形態に係る有機ＥＬ表示装置の概略構成を示す平面図である。
【図３】本実施形態に係る有機ＥＬ表示装置を画像表示面の裏側から見た平面図である。
【図４】本実施形態に係る接続構造を示す平面図である。
【図５】本実施形態に係る接続構造を示す斜視図である。
【図６】本実施形態に係る電子機器の一例を示す斜視図である。
【図７】本実施形態に係る電子機器の他の例を示す斜視図である。
【符号の説明】
【００７０】
１０  有機ＥＬ表示装置、２０  装置基板、３０  表示パネル、６１ａ，６１ｂ  ＦＰＣ基板、６５ａ，６５ｂ  コネクタ、７３  ドライバＩＣ、６８，７１  コンタクト部
【図１】
2006145576.tif 000003
【図２】
2006145576.tif 000004
【図３】
2006145576.tif 000005
【図４】
2006145576.tif 000006
【図５】
2006145576.tif 000007
【図６】
2006145576.tif 000008
【図７】
2006145576.tif 000009